(57)【要約】【課題】良好な色再現性を示す発光装置の提供。【解決手段】励起光を射出する励起光源と、励起光を吸収し蛍光を射出する複数の第１蛍光粒子と、第１蛍光粒子から射出される光のうち一部の光を吸収する複数の顔料粒子と、を備え、第１蛍光粒子は、Ｔｂ３＋が賦活された蛍光体を含み、蛍光はＴｂ３＋の励起エネルギー準位に応じた複数の発光ピークを含み、複数の発光ピークは、５１０ｎｍ以上５５０ｎｍ以下の波長帯域に含まれるメインピークと、波長帯域に含まれないサブピークと、を含み、顔料粒子は、５５０ｎｍ以下の波長の光の透過率が５５０ｎｍより長い波長の光の透過率よりも高い第１顔料粒子と、５１０ｎｍ以上の波長の光の透過率が５１０ｎｍ未満の波長の光の透過率よりも高い第２顔料粒子と、の少なくともいずれか一方であり、複数の顔料粒子のうち少なくとも一部は、第１蛍光粒子に対し第１励起光源とは反対側に配置されている発光装置。【選択図】図２
2017157721.tif 000002
【特許請求の範囲】
【請求項１】
第１励起光を射出する第１励起光源と、
前記第１励起光を吸収し、前記第１励起光よりも長波長の蛍光に変換して射出する複数の第１蛍光粒子と、
前記第１蛍光粒子から射出される光のうち一部の光を吸収する複数の顔料粒子と、を備え、
前記第１蛍光粒子は、３価テルビウムが賦活された蛍光体を含み、
前記蛍光は、３価テルビウムの励起エネルギー準位に応じた複数の発光ピークを含み、
前記複数の発光ピークは、５１０ｎｍ以上５５０ｎｍ以下の波長帯域に含まれるメインピークと、前記波長帯域に含まれないサブピークと、を含み、
前記顔料粒子は、５５０ｎｍ以下の波長の光の透過率が５５０ｎｍより長い波長の光の透過率よりも高い第１顔料粒子と、５１０ｎｍ以上の波長の光の透過率が５１０ｎｍ未満の波長の光の透過率よりも高い第２顔料粒子と、の少なくともいずれか一方であり、
前記複数の顔料粒子のうち少なくとも一部は、前記第１蛍光粒子に対し前記第１励起光源とは反対側に配置されている発光装置。
【請求項２】
前記顔料粒子は、前記第１顔料粒子および前記第２顔料粒子を含む請求項１に記載の発光装置。
【請求項３】
前記第１励起光源が配置される基板と、
前記基板において前記第１励起光源の周囲を囲む第１隔壁と、
前記複数の第１蛍光粒子と前記複数の顔料粒子とを含み、前記第１隔壁に囲まれた空間に配置された発光層と、を有する請求項１または２に記載の発光装置。
【請求項４】
前記発光層において、前記複数の蛍光体粒子と前記複数の顔料粒子とが混合され前記発光層に分散している請求項３に記載の発光装置。
【請求項５】
前記発光層は、前記複数の第１蛍光粒子を含む第１層と、
前記第１層に対し前記第１励起光源とは反対側に配置され、前記複数の顔料粒子を含む第２層と、を有する請求項３または４に記載の発光装置。
【請求項６】
前記基板に配置され、第２励起光を射出する第２励起光源と、
前記基板において前記第２励起光源の周囲を囲む第２隔壁と、
前記第２隔壁に囲まれた空間に配置された蛍光体層と、を有し、
前記蛍光体層は、前記第２励起光を吸収し、５８０ｎｍ以上７００ｎｍ以下の波長帯域に発光ピークを有する光を射出する複数の第２蛍光粒子を含む請求項３から５のいずれか１項に記載の発光装置。
【請求項７】
前記蛍光体層は、前記第２励起光を吸収し、４３０ｎｍ以上５１０ｎｍ未満の波長帯域に発光ピークを有する光を射出する複数の第３蛍光粒子を含み、
前記第２励起光源は、前記第２励起光として紫外光を射出する請求項６に記載の発光装置。
【請求項８】
前記第２励起光源は、前記第２励起光として４３０ｎｍ以上５１０ｎｍ未満の波長帯域に含まれる光を射出する請求項６に記載の発光装置。
【請求項９】
請求項１から８のいずれか１項に記載の発光装置を含み白色光を射出する白色発光装置を備えるバックライト。
【請求項１０】
請求項９に記載のバックライトと、
前記白色発光装置から射出された白色光を変調する液晶パネルと、
前記液晶パネルによって変調された光が入射するカラーフィルタと、を有する表示装置。
【発明の詳細な説明】
【技術分野】
【０００１】
本発明は、発光装置、バックライト、表示装置に関するものである。
【背景技術】
【０００２】
従来、励起光を射出する光源と、励起光を吸収し励起光とは異なる波長の光を射出する波長変換層と、を有する発光装置が知られている。以下の説明においては、上述のような発光装置のことを「波長変換方式」の発光装置と称することがある。また、波長変換層から射出される「励起光とは異なる波長の光」のことを「変換光」と称することがある。例えば、波長変換層において蛍光体を用いて波長を変換する場合、変換光は蛍光体が発する蛍光である。
【０００３】
上述したような波長変換方式の発光装置としては、励起光と変換光とが混色され、全体として白色光を射出する装置構成が知られている。このような発光装置は、表示装置のバックライトや照明として好適に用いられている。
【０００４】
波長変換方式の発光装置をバックライトとして用いる場合、一般に、変換光の発光スペクトルの半値全幅（Full width at half maximum, FWHM)が狭い方が、表示装置の色再現性が向上することが知られている。そのため、波長変換方式の発光装置においては、変換光の発光スペクトルの半値全幅を狭くする検討が行われている。
【０００５】
例えば、Ｔｂ３＋が賦活された緑色蛍光体を用いた発光装置が検討されている（例えば、特許文献１〜３参照）。特許文献１〜３に記載の発光装置において用いられている緑色蛍光体は、緑色の波長帯域に含まれる５５０ｎｍ付近に、Ｔｂ３＋に由来するシャープな発光ピークを有している。
【先行技術文献】
【特許文献】
【０００６】
【特許文献１】特許第４４１３９５５号公報
【特許文献２】特許第４１９９２６７号公報
【特許文献３】国際公開第２０１１／０２７５１１号
【発明の概要】
【発明が解決しようとする課題】
【０００７】
上記特許文献１〜３に記載の発光装置において用いられている緑色蛍光体は、５５０ｎｍ付近に現れる発光ピークの他に、５００、５８０、６１０ｎｍ付近にもＴｂ３＋に由来する発光ピークを有している。以下、Ｔｂ３＋が賦活された緑色蛍光体において５００、５８０、６１０ｎｍ付近に現れる発光ピークを「サブピーク」と称することがある。特許文献１〜３に記載の発光装置では、サブピークの光も外部に射出して利用する構成となっているが、広い波長範囲にサブピークの光が存在するため、発光装置の色再現性を低下させており、改善の余地が残されていた。
【０００８】
本発明はこのような事情に鑑みてなされたものであって、バックライトとして用いたときに良好な色再現性を示す新規な発光装置を提供することを目的とする。また、このような発光装置を備え良好な色再現性を示すバックライトおよび表示装置を提供することをあわせて目的とする。
【課題を解決するための手段】
【０００９】
上記の課題を解決するため、本発明の一形態は、第１励起光を射出する第１励起光源と、前記第１励起光を吸収し、前記第１励起光よりも長波長の蛍光に変換して射出する複数の第１蛍光粒子と、前記第１蛍光粒子から射出される光のうち一部の光を吸収する複数の顔料粒子と、を備え、前記第１蛍光粒子は、３価テルビウムが賦活された蛍光体を含み、前記蛍光は、３価テルビウムの励起エネルギー準位に応じた複数の発光ピークを含み、前記複数の発光ピークは、５１０ｎｍ以上５５０ｎｍ以下の波長帯域に含まれるメインピークと、前記波長帯域に含まれないサブピークと、を含み、前記顔料粒子は、５５０ｎｍ以下の波長の光の透過率が５５０ｎｍより長い波長の光の透過率よりも高い第１顔料粒子と、５１０ｎｍ以上の波長の光の透過率が５１０ｎｍ未満の波長の光の透過率よりも高い第２顔料粒子と、の少なくともいずれか一方であり、前記複数の顔料粒子のうち少なくとも一部は、前記第１蛍光粒子に対し前記第１励起光源とは反対側に配置されている発光装置を提供する。
【００１０】
本発明の一形態においては、前記顔料粒子は、前記第１顔料粒子および前記第２顔料粒子を含む構成としてもよい。
【００１１】
本発明の一形態においては、前記第１励起光源が配置される基板と、前記基板において前記第１励起光源の周囲を囲む第１隔壁と、前記複数の第１蛍光粒子と前記複数の顔料粒子とを含み、前記第１隔壁に囲まれた空間に配置された発光層と、を有する構成としてもよい。
【００１２】
本発明の一形態においては、前記発光層において、前記複数の蛍光体粒子と前記複数の顔料粒子とが混合され前記発光層に分散している構成としてもよい。
【００１３】
本発明の一形態においては、前記発光層は、前記複数の第１蛍光粒子を含む第１層と、前記第１層に対し前記第１励起光源とは反対側に配置され、前記複数の顔料粒子を含む第２層と、を有する構成としてもよい。
【００１４】
本発明の一形態においては、前記基板に配置され、第２励起光を射出する第２励起光源と、前記基板において前記第２励起光源の周囲を囲む第２隔壁と、前記第２隔壁に囲まれた空間に配置された蛍光体層と、を有し、前記蛍光体層は、前記第２励起光を吸収し、５８０ｎｍ以上７００ｎｍ以下の波長帯域に発光ピークを有する光を射出する複数の第２蛍光粒子を含む構成としてもよい。
【００１５】
本発明の一形態においては、前記蛍光体層は、前記第２励起光を吸収し、４３０ｎｍ以上５１０ｎｍ未満の波長帯域に発光ピークを有する光を射出する複数の第３蛍光粒子を含み、前記第２励起光源は、前記第２励起光として紫外光を射出する構成としてもよい。
【００１６】
本発明の一形態においては、前記第２励起光源は、前記第２励起光として４３０ｎｍ以上５１０ｎｍ未満の波長帯域に含まれる光を射出する構成としてもよい。
【００１７】
また、本発明の一形態は、上記の発光装置を含み白色光を射出する白色発光装置を備えるバックライトを提供する。
【００１８】
また、本発明の一形態は、上記のバックライトと、前記白色発光装置から射出された白色光を変調する液晶パネルと、前記液晶パネルによって変調された光が入射するカラーフィルタと、を有する表示装置を提供する。
【発明の効果】
【００１９】
本発明によれば、バックライトとして用いたときに良好な色再現性を示す新規な発光装置を提供することができる。また、このような発光装置を備え良好な色再現性を示すバックライトおよび表示装置を提供することができる。
【図面の簡単な説明】
【００２０】
【図１】第１実施形態の発光装置を示す概略平面図。
【図２】第１実施形態の発光装置を示す矢視断面図。
【図３】Ｙ２ＳｉＯ５：Ｃｅ３＋，Ｔｂ３＋の発光スペクトル。
【図４】従来の課題について説明するｘｙ色度図。
【図５】青色カラーフィルタ、緑色カラーフィルタ、赤色カラーフィルタの透過スペクトルの一例を示す図。
【図６】液晶ディスプレイにおける色再現性を示すｘｙ色度図。
【図７】第１顔料粒子および第２顔料粒子の透過スペクトルの一例。
【図８】波長変換層から射出される光の発光スペクトルの一例。
【図９】実施形態の発光装置の効果を示すｘｙ色度図。
【図１０】第２実施形態に係る発光装置の説明図。
【図１１】第３実施形態の発光装置１０２を示す概略平面図。
【図１２】第３実施形態の発光装置１０２を示す矢視断面図。
【図１３】第４実施形態の発光装置１０３を示す断面図。
【図１４】第５実施形態の発光装置１０４を示す断面図。
【図１５】第６実施形態の発光装置１０５を示す断面図。
【図１６】第７実施形態のバックライトを示す模式図。
【図１７】第８実施形態の表示装置を示す模式図。
【発明を実施するための形態】
【００２１】
［第１実施形態］
以下、図１〜図９を参照しながら、本発明の第１実施形態に係る発光装置について説明する。なお、以下の全ての図面においては、図面を見やすくするため、各構成要素の寸法や比率などは適宜異ならせてある。
【００２２】
図１は、本実施形態の発光装置を示す概略平面図である。図２は、図１の線分II−IIにおける矢視断面図である。
【００２３】
図１，２に示すように、本実施形態の発光装置１００は、励起光源３０、複数の第１蛍光粒子１１１、複数の第１顔料粒子１２１、複数の第２顔料粒子１３１を有している。励起光源３０は、本発明における「第１励起光源」に該当する。また、発光装置１００は、基板１０、隔壁２０、第１電極３５、第２電極３６、絶縁部３９、第１封止樹脂１１２を有している。
以下、順に説明する。
【００２４】
基板１０としては、透明基板及び不透明基板のいずれも用いることができる。不透明基板の形成材料としては、例えばセラミックスなどの無機材料や、樹脂材料などが挙げられる。また、金属基板の表面に絶縁処理を施したものを用いることもできる。透明基板の形成材料としては、例えばガラス、石英ガラス、窒化ケイ素等の無機物や、アクリル樹脂、ポリカーボネート樹脂等の樹脂材料などが挙げられる。また、光透過性を備えるならば、これらの材料を積層または混合して形成された複合材料を用いた基板を採用することもできる。また、基板１０の表面には、樹脂材料を用いて公知の平坦化層を形成していてもよい。
【００２５】
基板１０の上には、隔壁２０、第１電極３５、第２電極３６、絶縁部３９が設けられている。
【００２６】
隔壁２０は、格子状に形成されており、平面視矩形の複数のキャビティ（開口部）２１を有している。隔壁２０は、例えば絶縁性の樹脂材料で形成されている。開口部２１を形成する隔壁２０は、本発明における「第１隔壁」に該当する。
【００２７】
隔壁２０の形成材料としては、例えば光硬化性樹脂や熱硬化性樹脂などを挙げることができる。隔壁２０の側壁は、光反射性の材料で覆われていてもよい。または、隔壁２０が光反射性の材料で形成されていてもよい。光反射性の材料としては、光透過性を有する樹脂材料中に酸化チタン等の高屈折率を有する無機フィラーが高濃度に分散された高反射性樹脂材料や、アルミニウム、銀等の金属材料を挙げることができる。隔壁２０の表面を覆う材料または隔壁２０の形成材料がアルミニウムや銀等の金属材料である場合には、後述の第１電極３５および第２電極３６とは絶縁するものとする。
【００２８】
第１電極３５、第２電極３６は、隔壁２０の開口部２１に露出するように設けられている。また、本実施形態の発光装置１００においては、平面視で第１電極３５および第２電極３６の間に絶縁部３９が配置されている。第１電極３５と第２電極３６との間に、絶縁部３９が介在することにより、第１電極３５と第２電極３６が絶縁されている。
【００２９】
絶縁部３９は、光透過性を有する樹脂材料や光透過性を有する無機材料を用いて形成されている。光透過性を有する樹脂材料としては、エポキシ樹脂、ユリア樹脂、シリコーン樹脂、変性エポキシ樹脂、変性シリコーン樹脂、ポリアミドなどの耐候性に優れた材料を好適に用いることができる。光透過性を有する無機材料としては、ガラスを挙げることができる。
【００３０】
絶縁部３９の表面は、光反射性の材料で覆われていてもよい。光透過性の材料としては、上述した隔壁２０の側壁を覆う材料を挙げることができる。または、絶縁部３９の形成材料は、樹脂材料中に酸化チタン等の高屈折率を有する無機フィラーが高濃度に分散された高反射性樹脂材料であってもよい。
【００３１】
励起光源３０は、励起光を射出する発光素子である。本実施形態においては、励起光源３０として、波長約３７０ｎｍの紫外光を射出する紫外光ＬＥＤを用いることとして説明する。励起光源３０が射出する紫外光は、本発明における「第１励起光」に該当する。
【００３２】
本実施形態の発光装置１００では、励起光源３０は、開口部２１内において第１電極３５の表面にシリコーン樹脂によって固定されている。
【００３３】
励起光源３０は、配線３０ａ，３０ｂを用いて第１電極３５および第２電極３６と電気的に接続されている。配線３０ａ，３０ｂは、例えばワイヤボンディングにより形成された金ワイヤである。
【００３４】
本実施形態の発光装置１００は、隔壁２０が形成する開口部２１内に、波長変換層５０を有している。波長変換層５０は、複数の第１蛍光粒子１１１と、複数の第１顔料粒子１２１と、複数の第２顔料粒子１３１とを含んでいる。波長変換層５０は、本発明における「発光層」に該当する。
【００３５】
第１蛍光粒子１１１は、励起光源３０から射出された励起光を吸収し、励起光よりも長波長の蛍光に変換して射出する。
【００３６】
第１蛍光粒子１１１は、３価テルビウム（Ｔｂ３＋）が賦活された緑色蛍光体を含んでいる。第１蛍光粒子１１１に含まれる蛍光体は、Ｔｂ３＋イオンを含みＴｂ３＋イオンの４ｆ−４ｆ遷移を起源とした緑色発光を有する材料であれば、特に限定されない。このような蛍光体としては、Ｙ２ＳｉＯ５：Ｃｅ３＋，Ｔｂ３＋、ＣａＡｌ２Ｏ４：Ｃｅ３＋，Ｔｂ３＋、Ｃａ３Ｙ２（Ｓｉ３Ｏ９）２：Ｃｅ３＋，Ｔｂ３＋、Ｃｅ−α−ＳｉＡｌＯＮ：Ｔｂ３＋を挙げることができる。
【００３７】
図３は、第１蛍光粒子１１１に含まれる蛍光体として用いられるＹ２ＳｉＯ５：Ｃｅ３＋，Ｔｂ３＋の発光スペクトルである。Ｙ２ＳｉＯ５：Ｃｅ３＋，Ｔｂ３＋は、Ｃｅ３＋とＴｂ３＋が賦活され、Ｃｅ３＋が増感剤となってＴｂ３＋が発光する緑色蛍光体である。
【００３８】
Ｙ２ＳｉＯ５：Ｃｅ３＋，Ｔｂ３＋は、紫外光領域の光で励起し、発光ピークが５１０ｎｍ以上５５０ｎｍ以下の波長帯域に含まれる光を発する。具体的には、５４０ｎｍ付近の波長帯域に発光ピークを有する光を発する。図中、この発光ピークは「第１発光ピーク」として示している。第１発光ピークは、５Ｄ４→７Ｆ５遷移による発光である。このピークは、本発明における「メインピーク」に該当する。
【００３９】
また、Ｙ２ＳｉＯ５：Ｃｅ３＋，Ｔｂ３＋は、発光ピークが５１０ｎｍ以上５５０ｎｍ以下の波長帯域に含まれない光も発する。この発光ピークは、本発明における「サブピーク」に該当する。
【００４０】
具体的には、４７０ｎｍ以上５００ｎｍ以下の波長領域に発光ピークを有する光を発する。図中、この発光ピークは「第２発光ピーク」として示している。第２発光ピークは、５Ｄ４→７Ｆ６遷移による発光である。
【００４１】
その他、Ｙ２ＳｉＯ５：Ｃｅ３＋，Ｔｂ３＋は、５７０ｎｍ以上６００ｎｍ以下の波長領域と、６２０ｎｍ以上６３０ｎｍ以下の波長領域にそれぞれ発光ピークを有する光を発する。図中、５７０ｎｍ以上６００ｎｍ以下の波長領域の発光ピークは「第３発光ピーク」、６２０ｎｍ以上６３０ｎｍ以下の波長領域の発光ピークは「第４発光ピーク」として示している。第３発光ピークは、５Ｄ４→７Ｆ４遷移による発光であり、第４発光ピークは、５Ｄ４→７Ｆ３遷移による発光である。
【００４２】
複数の第１蛍光粒子１１１は、励起光源３０に対し基板１０とは反対側に配置されている。本実施形態の発光装置１００では、複数の第１蛍光粒子１１１は、例えば熱硬化性のシリコーン樹脂を形成材料とする第１封止樹脂１１２に分散して励起光源３０の上に配置されている。具体的には、複数の第１蛍光粒子１１１は、熱硬化性のシリコーン樹脂と混練した組成物として励起光源３０の上に配置され、例えば１５０℃で３時間加熱してシリコーン樹脂を硬化させることで固定されている。
【００４３】
複数の第１顔料粒子１２１は、５５０ｎｍ以下の波長の光の透過率が５５０ｎｍより長い波長の光の透過率よりも高い。
【００４４】
第１顔料粒子１２１に含まれる顔料は、緑色〜青色に発色する顔料である。このような顔料は、有機系、無機系顔料のどちらでもよい。また、第１顔料粒子１２１に含まれる顔料は、１種類であってもよく、２種類以上であってもよい。
【００４５】
緑色有機系顔料としては、フタロシアニン系、ペリレン系等が挙げられる。
【００４６】
緑色無機顔料としては、クロム・コバルト・亜鉛の酸化物、チタン・亜鉛・コバルト・ニッケルの酸化物、チタン・コバルト・ニッケル・リチウムの酸化物、コバルト・亜鉛の酸化物、アルミ・クロムの酸化物、クロムの酸化物等が挙げられる。
【００４７】
青色有機系顔料としては、フタロシアニン系等が挙げられる。
【００４８】
青色無機系顔料としては、コバルト・アルミの酸化物、コバルト・アルミ・マグネシウムの酸化物、コバルト・クロム・アルミの酸化物、コバルト・亜鉛・珪素の酸化物、コバルト・アルミ・珪素の酸化物等が挙げられる。
【００４９】
複数の第２顔料粒子１３１は、５１０ｎｍ以上の波長の光の透過率が５１０ｎｍ未満の波長の光の透過率よりも高い。
【００５０】
第２顔料粒子１３１に含まれる顔料は、赤色〜黄色に発色する顔料である。このような顔料は、有機系、また無機系顔料のどちらでもよい。また、第２顔料粒子１３１に含まれる顔料は、１種類であってもよく、２種類以上であってもよい。
【００５１】
赤色有機顔料としては、アントラキノン系、アゾ系、キナクリドン系、ペリレン系、ジケトピロロピロール系、ナフトール系、ローダミンレーキ系が挙げられる。
【００５２】
赤色無機顔料としては、酸化鉄等が挙げられる。
【００５３】
黄色有機顔料としては、アゾ系、アゾメチン系、イソインドリン系、アントラキノン系等が挙げられる。
【００５４】
黄色無機顔料としては、チタン・ニッケル・アンチモンの酸化物、チタン・ニッケル・バリウムの酸化物、チタン・クロム・アンチモンの酸化物、チタン・クロム・ニオブの酸化物、チタン・クロム・タングステンの酸化物、バナジウム・ジルコニアの酸化物、バナジウム・スズの酸化物、ビスマス・バナジウムの酸化物、プラセオジウムの酸化物等が挙げられる。
【００５５】
第１封止樹脂１１２は、光透過性を有した硬化性樹脂を用いて形成する。第１封止樹脂１１２としては。エポキシ樹脂、ユリア樹脂、シリコーン樹脂、変性エポキシ樹脂、変性シリコーン樹脂、ポリアミド等を用いることができる。
【００５６】
複数の第１蛍光粒子１１１は、励起光源３０に対し基板１０とは反対側に配置されている。また、複数の第１顔料粒子１２１、複数の第２顔料粒子１３１のうち少なくとも一部は、第１蛍光粒子１１１に対し励起光源３０とは反対側に配置されている。
【００５７】
本実施形態の発光装置１００では、複数の第１蛍光粒子１１１と、複数の第１顔料粒子１２１と、複数の第２顔料粒子１３１とは、例えば熱硬化性のシリコーン樹脂を形成材料とする第１封止樹脂１１２に分散して励起光源３０の上に配置されている。具体的には、複数の第１蛍光粒子１１１と、複数の第１顔料粒子１２１と、複数の第２顔料粒子１３１とは、熱硬化性のシリコーン樹脂と混練した組成物として開口部２１の内部に配置され、例えば１５０℃で３時間加熱してシリコーン樹脂を硬化させることで固定されている。
本実施形態の発光装置１００は、以上のような構成となっている。
【００５８】
次に、本実施形態の発光装置１００の効果について、従来の課題について説明した後に説明する。
【００５９】
まず、発光装置において緑色光を射出させる構成として、緑色ＬＥＤが知られている。しかし、緑色ＬＥＤは、一般に投入電力に対する取出し光量が少ない。そのため、所望の光量の発光装置としようとする場合、消費電力が大きくなり過ぎるおそれがある。また、緑色ＬＥＤは高価であるため、発光装置が高額になり易い。そのため、表示装置用バックライトなどの汎用的な用途において緑色光を射出させる構成としては、波長変換方式の発光装置が好ましい。
【００６０】
図３に示すように、第１蛍光粒子１１１に含まれるＴｂ３＋を賦活した蛍光体において、第１発光ピークから第４発光ピークは、蛍光体に含まれるＴｂ３＋の４ｆ−４ｆ遷移を起源としたピークである。そのため、Ｔｂ３＋が賦活された蛍光体であれば、ピーク位置の多少の移動はあったとしても、ほぼ同様の位置に発光ピークが現れる。
【００６１】
また、第１発光ピークは、緑色を示す波長帯域に含まれており、半値全幅が狭いため、光源から射出する光として適している。第１発光ピークを利用した光源とすると、第２発光ピーク〜第４発光ピークは不要な光となる。中でも、第１発光ピークに対して、第３発光ピークや第４発光ピークはほぼ無視できるほどに弱い光であるが、第２発光ピークは、相対的に強度が大きい光であり、無視することができない。
【００６２】
また、第２発光ピークが現れる波長帯域は、緑色の色純度に大きな悪影響を及ぼす。図４に示すｘｙ色度図において、符号αで示す波長５４０ｎｍ付近の光と符号βで示す波長５２０ｎｍ付近の光とが混色した場合、得られる光は、ｘｙ色度図の周囲（スペクトル軌跡）の単色光に近い光となり易く、色純度は低下しにくい。一方で、符号αで示す光と符号γで示す波長４８０ｎｍの光とが混色した場合、得られる光は、ｘｙ色度図の内側の領域で示されるような彩度が低い光となり、色純度が低下しやすい。
【００６３】
さらに、第２発光ピークの光は、緑色の等色関数のピーク位置である５５０ｎｍから大きく外れた波長帯域の光である。等色関数のピーク位置に近い波長の光は、人間が知覚しやすく等色関数のピーク位置から離れた波長の光は、人間が知覚しにくい。すなわち、同じ強度であれば、第２発光ピークの光は、第１発光ピークの光と比べて知覚しにくい。そのため、同じ強度であれば、第１発光ピークの光と第２発光ピークの光とを含む緑色光は、第１発光ピークのみの緑色光と比べると知覚しにくく、暗く感じる。
【００６４】
このように、第２発光ピークの光は、色純度、明るさの観点から不要であり、除去するほうが好ましい光と言える。しかし、Ｔｂ３＋が賦活された蛍光体において、蛍光体の母体材料や結晶構造等によりピーク強度は変化したとしても、第２発光ピーク〜第４発光ピークを完全に無くすことは困難である。
【００６５】
このように、Ｔｂ３＋が賦活された蛍光体は、半値全幅が狭い緑色光を射出可能であるが、サブピークの光が存在するため、得られる蛍光の色純度が低下しやすいという課題がある。
【００６６】
このような課題に対する解決方法の１つとして、本実施形態の発光装置１００を白色バックライトとして採用する液晶ディスプレイにおいて、カラーフィルタを透過させる際にサブピークの光を透過させず除去することが考えられる。
【００６７】
図５は、一般に液晶ディスプレイに用いられる青色カラーフィルタ、緑色カラーフィルタ、赤色カラーフィルタの透過スペクトルの一例である。このようなカラーフィルタを有する液晶ディスプレイにおいては、白色バックライトから射出された光をそれぞれのカラーフィルタを透過させることで色光とし、画像表示を行う。
【００６８】
しかし、図に示すカラーフィルタでは、符号Ｘで示す４７０ｎｍ以上５３０ｎｍ以下の波長帯域において、青色カラーフィルタおよび緑色カラーフィルタのいずれも光を透過させる。すなわち、図に示すカラーフィルタに４７０ｎｍ以上５３０ｎｍ以下の波長帯域の光を照射すると、当該光は、青色カラーフィルタおよび緑色カラーフィルタのいずれにおいても透過する。
【００６９】
そのため、図３に示すような発光スペクトルを示す光を、図５に示すような透過スペクトルを示すカラーフィルタに照射しても、第２発光ピークの光は除去されないため、緑色の色純度が低下する。また、第２発光ピークの光は青色カラーフィルタも透過するため、青色の色純度が低下する。さらに、第２発光ピークの光が除去されない場合、カラーフィルタを透過して射出される緑色光は、上述したようにｘｙ色度図の内側の領域で示されるような彩度が低い光となる。
【００７０】
図６は、液晶ディスプレイにおける色再現性を示すｘｙ色度図である。赤色カラーフィルタ、青色カラーフィルタをそれぞれ透過して得られる赤色光、青色光が単一ピークで半値全幅の狭い理想的な発光ピークを示す場合、例えば、緑色光が波長５４０ｎｍの純色の光である場合、図中破線で示すような範囲の色を再現可能な液晶ディスプレイとすることができる。一方、緑色蛍光体から射出されたサブピークの光がカラーフィルタで除去されない場合、例えば、図中実線で示すような範囲の色を再現可能な液晶ディスプレイとなる。図に示すｘｙ色度図において、実線で囲む範囲は、破線で囲む範囲よりも狭く、色再現性が低下してしまうことが分かる。
【００７１】
これに対し、本実施形態の発光装置１００では、波長変換層５０に、第１蛍光粒子１１１と共に、第１顔料粒子１２１、第２顔料粒子１３１が分散している。図７は、第１顔料粒子１２１および第２顔料粒子１３１の透過スペクトルの一例である。第１蛍光粒子１１１からは、図３に示すようなサブピークを含む光が射出されるが、第１蛍光粒子１１１に対し励起光源３０とは反対側に配置された第１顔料粒子１２１および第２顔料粒子１３１が、第１蛍光粒子１１１から射出された光を効率良く吸収する。
【００７２】
ここで、第１顔料粒子１２１は、５５０ｎｍ以下の波長の光の透過率が５５０ｎｍより長い波長の光の透過率よりも高く、第２顔料粒子１３１は、５１０ｎｍ以上の波長の光の透過率が５１０ｎｍ未満の波長の光の透過率よりも高い。
【００７３】
その結果、波長変換層５０から射出される光は、５１０ｎｍ以上５５０ｎｍ以下の波長帯域の光を透過させながら、５１０ｎｍ未満の波長の光、および５５０ｎｍより長い波長の光を効果的に除去することができる。
【００７４】
図８は、波長変換層５０から射出される光の発光スペクトルの一例である。図に示すように、５４０ｎｍ付近に発光ピークを有する半値全幅の狭いメインピークを残し、サブピークがほぼ除去されている。
【００７５】
図９は、本実施形態の発光装置１００の効果を示すｘｙ色度図である。図では、図３に示す緑色蛍光体の発光スペクトルから計算した色度を符号β、図８に示す発光スペクトルから計算した色度を符号α１としてプロットしている。
【００７６】
図から明らかなように、本実施形態の発光装置１００では、ｘ＝０．３０６、ｙ＝０．６８５と、色純度の高い緑色発光が得られる。
【００７７】
以上のような構成の発光装置１００によれば、バックライトとして用いたときに良好な色再現性を示す新規な発光装置となる。
【００７８】
［第２実施形態］
図１０は、本発明の第２実施形態に係る発光装置１０１の説明図である。以下の実施形態において、既に説明した実施形態と共通する構成要素については同じ符号を付し、詳細な説明は省略する。
【００７９】
発光装置１０１は、隔壁２０が形成する開口部２１内に、波長変換層５１を有している。波長変換層５１は、励起光源３０を覆う第１層５１ａと、第１層５１ａを覆う第２層５１ｂと、を有している。第１層５１ａは、複数の第１蛍光粒子１１１を含んでいる。第２層５１ｂは、複数の第１顔料粒子１２１と複数の第２顔料粒子１３１とを含んでいる。
【００８０】
第１層５１ａは、開口部２１の内部において、励起光源３０に対し基板１０とは反対側に配置されている。本実施形態の発光装置１０１では、複数の第１蛍光粒子１１１は、例えば熱硬化性のシリコーン樹脂を形成材料とする第１封止樹脂１１２に分散して励起光源３０の上に配置されている。
【００８１】
第２層５１ｂは、光透過性を有した硬化性樹脂をバインダーとし、第１層５１ａの表面を覆って設けられている。第２層５１ｂにおいて、第１顔料粒子１２１および第２顔料粒子１３１の含有量を調整することで、第１蛍光粒子１１１から射出されるサブピークの吸収量を調整し、発光装置１０１から射出される光の色再現性を調整することができる。
【００８２】
第２層５１ｂは、第１層５１ａから射出されるメインピークの光が、十分に透過可能な厚みに形成されている。第２層５１ｂの膜厚は、例えば数μｍである。
【００８３】
以上のような構成の発光装置１０１によれば、第１実施形態の発光装置１００と同様の効果が得られ、バックライトとして用いたときに良好な色再現性を示す新規な発光装置となる。
【００８４】
［第３実施形態］
図１１は、第３実施形態の発光装置１０２を示す概略平面図である。図１２は、図１１の線分XII−XIIにおける矢視断面図である。図１１は、第１実施形態の図１に対応した図であり、図１２は、第１実施形態の図２に対応した図である。
【００８５】
発光装置１０２は、格子状に形成された隔壁２０を有している。隔壁２０は、開口部２１をさらに２つのサブ開口部２１ｘ、２１ｙに分割するサブ隔壁２０ｘを有している。サブ隔壁２０ｘは、隔壁２０と同じ形成材料を用い、同時に形成することができる。また、サブ隔壁２０ｘの表面は、光反射性の材料で覆われていてもよい。
【００８６】
サブ開口部２１ｘ内には、励起光源３０が配置され、さらに励起光源３０を覆う波長変換層５０が設けられている。
【００８７】
一方、サブ開口部２１ｙ内には、励起光源３１が配置され、さらに励起光源３１を覆う波長変換層５２が設けられている。励起光源３１は、本発明における「第２励起光源」に該当する。
【００８８】
励起光源３１は、励起光を射出する発光装置である。本実施形態においては、励起光源３１として、波長約３７０ｎｍの紫外光を射出する紫外光ＬＥＤを用いることとして説明する。このような励起光源としては、励起光源３０と同様の構成のものを用いることができる。励起光源３１が射出する励起光は、本発明における「第２励起光」に該当する。
【００８９】
本実施形態の発光装置１００では、励起光源３１は、開口部２１内において第２電極３６の表面にシリコーン樹脂によって固定されている。励起光源３１は、第１電極３５の表面に固定されていてもよい。励起光源３１は、配線３１ａ，３１ｂを用いて第１電極３５および第２電極３６と電気的に接続されている。配線３１ａ，３１ｂは、例えばワイヤボンディングにより形成された金ワイヤである。
【００９０】
波長変換層５２は、複数の第２蛍光粒子１４１と、複数の第３蛍光粒子１４２と、例えば熱硬化性のシリコーン樹脂を形成材料とする封止樹脂１４３と、を含んでいる。複数の第２蛍光粒子１４１と、複数の第３蛍光粒子１４２とは、封止樹脂１４３中に分散している。波長変換層５２は、本発明における「蛍光体層」に該当する。
【００９１】
サブ開口部２１ｘを形成する隔壁２０およびサブ隔壁２０ｘは、本発明における「第１隔壁」に該当する。また、サブ開口部２１ｙを形成する隔壁２０およびサブ隔壁２０ｘは、本発明における「第２隔壁」に該当する。
【００９２】
第２蛍光粒子１４１は、励起光源３１が射出する紫外光を吸収し、５８０ｎｍ以上７００ｎｍ以下の波長帯域に発光ピークを有する光を射出する。
【００９３】
第２蛍光粒子１４１は、無機の赤色蛍光体である。このような赤色蛍光体としては、Ｙ２Ｏ２Ｓ：Ｅｕ３＋、ＹＡｌＯ３：Ｅｕ３＋、Ｃａ２Ｙ２（ＳＩＯ４）６：Ｅｕ３＋、ＬｉＹ９（ＳｉＯ４）６Ｏ２：Ｅｕ３＋、ＹＶＯ４：Ｅｕ３＋、ＣａＳ：Ｅｕ３＋、Ｇｄ２Ｏ３：Ｅｕ３＋、Ｇｄ２Ｏ２Ｓ：Ｅｕ３＋、Ｙ（Ｐ，Ｖ）Ｏ４：Ｅｕ３＋、（Ｌａ，Ｙ）２Ｏ２Ｓ：Ｅｕ３＋、Ｍｇ４ＧｅＯ５Ｆ：Ｍｎ４＋、Ｍｇ４Ｇｅ６：Ｍｎ４＋、Ｋ２ＳｉＦ６：Ｍｎ４＋、Ｋ５Ｅｕ２．５（ＷＯ４）６．２５、Ｓｒ２Ｓｉ５Ｏ８：Ｅｕ２＋、Ｎａ５Ｅｕ２．５（ＷＯ４）６．２５、Ｋ５Ｅｕ２．５（ＭｎＯ４）６．２５、Ｎａ５Ｅｕ２．５（ＭｏＯ４）６．２５、（Ｓｒ，Ｃａ）ＡｌＳｉＮ３：Ｅｕ２＋、ＣａＡｌＳｉＮ３：Ｅｕ２＋、ＳｒＳｉＮ２：Ｅｕ２＋、ＳｒＳｒＡｌＳｉＮ３：Ｅｕ２＋、Ｃａ２Ｓｉ５Ｎ８：Ｅｕ２＋、Ｓｒ２Ｓｉ５Ｎ８：Ｅｕ２＋、Ｂａ２ＡｌＳｉ５Ｎ８：Ｅｕ２＋、Ｓｒ２Ｓｉ３Ｏ２Ｎ４：Ｅｕ２＋、Ｓｒ２Ｓｉ３Ａｌ２Ｏ２Ｎ５：Ｅｕ２＋、ＳｒＳｃ２Ｏ４：Ｅｕ２＋、（Ｓｒ，Ｂａ）３ＳｉＯ５：Ｅｕ２＋、Ｍｇ２ＴｉＯ４：Ｍｎ２＋などが挙げられる。
【００９４】
第３蛍光粒子１４２は、励起光源３１が射出する紫外光を吸収し、４３０ｎｍ以上５１０ｎｍ未満の波長帯域に発光ピークを有する光を射出する。
【００９５】
第３蛍光粒子１４２は、無機の青色蛍光体である。このような青色蛍光体としては、Ｓｒ２Ｐ２Ｏ７：Ｓｎ４＋、Ｓｒ４Ａｌ１１Ｏ２５：Ｅｕ２＋、ＢａＭｇＡｌ１０Ｏ１７：Ｅｕ２＋、ＳｒＧａ２Ｓ４：Ｃｅ３＋、ＣａＧａ２Ｓ４：Ｃｅ３＋、（Ｂａ，Ｓｒ）（Ｍｇ，Ｍｎ）Ａｌ１０Ｏ１７：Ｅｕ２＋、（Ｓｒ，Ｃａ，Ｂａ，Ｍｇ）１０（ＰＯ４）６Ｃｌ２：Ｅｕ２＋、ＢａＡｌ２ＳｉＯ８：Ｅｕ２＋、Ｓｒ２Ｐ２Ｏ７：Ｅｕ２＋、Ｓｒ５（ＰＯ４）３Ｃｌ：Ｅｕ２＋、（Ｓｒ，Ｃａ，Ｂａ）５（ＰＯ４）３Ｃｌ：Ｅｕ２＋、ＢａＭｇ２Ａｌ１６Ｏ２７：Ｅｕ２＋、（Ｂａ，Ｃａ）５（ＰＯ４）Ｃｌ：Ｅｕ２＋、Ｂａ３ＭｇＳｉ２Ｏ８：Ｅｕ２＋、Ｓｒ３ＭｇＳｉ２Ｏ８：Ｅｕ２＋などが挙げられる。
【００９６】
発光装置１０２においては、第１蛍光粒子１１１は、励起光源３０から射出される波長３７０ｎｍの紫外光を吸収し緑色光を射出する。また、第１蛍光粒子１１１から射出されたサブピークは、第１顔料粒子１２１、第２顔料粒子１３１により吸収される。そのため、サブ開口部２１ｘからは、半値全幅が狭く色純度が高い緑色光が射出される。
【００９７】
一方、第２蛍光粒子１４１は、励起光源３１から射出される波長３７０ｎｍの紫外線を吸収し、青色光を射出する。同様に、第３蛍光粒子１４２は、励起光源３１から射出される波長３７０ｎｍの紫外線を吸収し、赤色光を射出する。そのため、サブ開口部２１ｙからは、青色光と赤色光とが射出される。
【００９８】
これらの結果、発光装置１０２からは、青色光、緑色光、赤色光が混色した白色光が射出される。以上のような構成の発光装置１０２によっても、第１実施形態の発光装置１００と同様の効果が得られ、バックライトとして用いたときに良好な色再現性を示す新規な発光装置とすることができる。また、サブ開口部２１ｘとサブ開口部２１ｙとが分けられているため、各色光のスペクトルの調整が容易である。
【００９９】
［第４実施形態］
図１３は、第４実施形態の発光装置１０３を示す断面図である。本実施形態の発光装置１０３においては、第３実施形態においてサブ開口部２１ｘの内部に配置した波長変換層５０に代えて、第２実施形態の発光装置１０１が有する波長変換層５１を備えている。
【０１００】
このような構成の発光装置１０３においても、バックライトとして用いたときに良好な色再現性を示す新規な発光装置とすることができる。
【０１０１】
［第５実施形態］
図１４は、第５実施形態の発光装置１０４を示す断面図であり、第３実施形態の図１２に対応した図である。
【０１０２】
サブ開口部２１ｙ内には、励起光源３２が配置され、さらに励起光源３２を覆う波長変換層５３が設けられている。励起光源３２は、本発明における「第２励起光源」に該当する。
【０１０３】
励起光源３２は、４３０ｎｍ以上５１０ｎｍ未満の波長帯域に含まれる光を射出する発光素子である。本実施形態においては、励起光源３２として、波長約４５０ｎｍの青色光を射出する青色ＬＥＤを用いることとして説明する。励起光源３２が射出する青色光は、本発明における「第２励起光」に該当する。
【０１０４】
波長変換層５３は、複数の第２蛍光粒子１４１と、例えば熱硬化性のシリコーン樹脂を形成材料とする封止樹脂１４３と、を含んでいる。複数の第２蛍光粒子１４１は、封止樹脂１４３中に分散している。波長変換層５３は、本発明における「蛍光体層」に該当する。
【０１０５】
第２蛍光粒子１４１は、励起光源３１が射出する青色光を吸収し、５８０ｎｍ以上７００ｎｍ未満の波長帯域に発光ピークを有する光を射出する。
【０１０６】
発光装置１０４においては、第１蛍光粒子１１１は、励起光源３０から射出される波長３７０ｎｍの紫外光を吸収し緑色光を射出する。また、第１蛍光粒子１１１から射出されたサブピークは、第１顔料粒子１２１、第２顔料粒子１３１により吸収される。そのため、サブ開口部２１ｘからは、半値全幅が狭く色純度が高い緑色光が射出される。
【０１０７】
一方、励起光源３２からは、波長４５０ｎｍの青色光が射出される。また、第２蛍光粒子１４１は、励起光源３２から射出された青色光の一部を吸収し、赤色光を射出する。そのため、サブ開口部２１ｙからは、青色光と赤色光とが射出される。
【０１０８】
これらの結果、発光装置１０４からは、これら青色光、緑色光、赤色光が混色した白色光が射出される。以上のような構成の発光装置１０４によっても、第１実施形態の発光装置１００と同様の効果が得られ、バックライトとして用いたときに良好な色再現性を示す新規な発光装置とすることができる。また、サブ開口部２１ｘとサブ開口部２１ｙとが分けられているため、各色光のスペクトルの調整が容易である。
【０１０９】
［第６実施形態］
図１５は、第６実施形態の発光装置１０５を示す断面図である。本実施形態の発光装置１０５においては、第５実施形態においてサブ開口部２１ｘの内部に配置した波長変換層５０に代えて、第２実施形態の発光装置１０１が有する波長変換層５１を備えている。
【０１１０】
このような構成の発光装置１０５においても、バックライトとして用いたときに良好な色再現性を示す新規な発光装置とすることができる。
【０１１１】
［第７実施形態］
図１６は、第７実施形態のバックライトを示す模式図である。
【０１１２】
本実施形態のバックライト５００は、発光装置５０１、導光板５０２、拡散板５０３、反射部材５０４を有している。
【０１１３】
発光装置５０１は、上述した本発明に係る発光装置であって、白色光を射出するように構成を調整したものを用いる。
【０１１４】
導光板５０２は、例えばアクリル樹脂等の光透過性を有する樹脂からなる板体である。導光板５０２の端面５０２ｘには、発光装置５０１が設けられている。導光板５０２は、発光装置５０１から射出された光を端面５０２ｘから入射させ、内部で伝播させる間に第１の主面５０２ａから射出させる機能を有する。導光板５０２としては、公知のものを用いることができる。
【０１１５】
拡散板５０３は、導光板５０２の第１の主面５０２ａに面して設けられている。拡散板５０３は、第１の主面５０２ａから射出された光を拡散させ、光の進行方向を変更する機能を有する。拡散板５０３としては、公知のものを用いることができる。
【０１１６】
反射部材５０４は、導光板５０２の第２の主面５０２ｂに面して設けられている。反射部材５０４は、第２の主面５０２ｂから射出された光を反射して、導光板５０２の内部に入射させる機能を有する。反射部材５０４で反射した光は、更に導光板の内部を伝播し、第１の主面５０２ａから射出する。
【０１１７】
反射部材５０４は、第２の主面５０２ｂと離間して設けられていてもよく、第２の主面５０２ｂに接して設けられていてもよい。反射部材５０４としては、公知のものを用いることができる。
【０１１８】
以上のような構成のバックライト５００によれば、上述した本発明の発光装置を備え、良好な色再現性を示すものとなる。
【０１１９】
［第８実施形態］
図１７は、第８実施形態の表示装置を示す模式図である。
本実施形態の表示装置１０００は、上述したバックライト５００と、バックライト５００から射出された白色光を変調する液晶装置６００と、を有する。
【０１２０】
液晶装置６００は、第１基板６１０と、第２基板６２０と、第１基板６１０および第２基板６２０に挟持された液晶層６３０と、第１基板６１０に対向して設けられた第１偏光板６４０と、第２基板６２０に対向して設けられた第２偏光板６５０と、を備える。
【０１２１】
第１基板６１０は、透明基板上にスイッチング素子等の素子層が形成された素子基板６１１と、素子基板６１１の液晶層６３０側に設けられた透明電極６１２と、を有している。
【０１２２】
第２基板６２０は、透明基板６２１と、透明基板６２１の液晶層６３０側に設けられた格子状のブラックマトリクス６２２と、ブラックマトリクス６２２の液晶層６３０側に設けられたカラーフィルタ層６２３と、カラーフィルタ層６２３の液晶層６３０側に設けられた透明電極６２４と、を有している。
【０１２３】
カラーフィルタ層６２３は、ブラックマトリクス６２２の開口に応じて設けられた赤色カラーフィルタ６２３Ｒ、緑色カラーフィルタ６２３Ｇ、青色カラーフィルタ６２３Ｂを有している。赤色カラーフィルタ６２３Ｒ、緑色カラーフィルタ６２３Ｇ、青色カラーフィルタ６２３Ｂの透過率は、例えば、図５に示したようなものである。
【０１２４】
第１偏光板６４０と第２偏光板６５０は、互いの吸収軸が、例えばクロスニコルの配置で配置されている。
【０１２５】
以上のような構成の表示装置１０００によれば、上述した本発明の発光装置を備え、良好な色再現性を示すものとなる。
【０１２６】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【０１２７】
例えば、上述した各実施形態においては、顔料粒子として第１顔料粒子１２１と第２顔料粒子１３１との両方を用いることとしたが、これに限らない。用いる顔料粒子が第１顔料粒子１２１と第２顔料粒子１３１のいずれか一方であっても、用いた顔料粒子は第１蛍光粒子１１１が発する光に含まれるサブピークの一部を吸収する。これにより、発光装置から射出される光の色純度を高め、バックライトとして用いたときに良好な色再現性を示す新規な発光装置となる。
【符号の説明】
【０１２８】
１０…基板、２０…隔壁（第１隔壁、第２隔壁）、２０ｘ…サブ隔壁（第１隔壁、第２隔壁）、３０〜３２…励起光源、５１ａ…第１層、５１ｂ…第２層、１００〜１０５，５０１…発光装置、１１１…第１蛍光粒子、１２１…第１顔料粒子、１３１…第２顔料粒子、１４１…第２蛍光粒子、１４２…第３蛍光粒子、５００…バックライト、１０００…表示装置
【図１】
2017157721.tif 000003
【図２】
2017157721.tif 000004
【図３】
2017157721.tif 000005
【図４】
2017157721.tif 000006
【図５】
2017157721.tif 000007
【図６】
2017157721.tif 000008
【図７】
2017157721.tif 000009
【図８】
2017157721.tif 000010
【図９】
2017157721.tif 000011
【図１０】
2017157721.tif 000012
【図１１】
2017157721.tif 000013
【図１２】
2017157721.tif 000014
【図１３】
2017157721.tif 000015
【図１４】
2017157721.tif 000016
【図１５】
2017157721.tif 000017
【図１６】
2017157721.tif 000018
【図１７】
2017157721.tif 000019